(57)【要約】【課題】最適な出湯特性が得られ、ランニングコストを削減できる即湯システムを提供する。【解決手段】湯を内部に溜め保温することのできる貯湯タンク２を備え、給湯配管１０，１０ａの途中に設けられる即湯システム１において、外気温や、給湯配管１０または給水配管１１内の冷水温度を検知し得る検出部３０を設け、この検出部３０で検知された検知温度に従い、貯湯タンク２の保温温度を制御するように構成する。【選択図】                図１
2004332985.tif 000002
【特許請求の範囲】
【請求項１】
内部に湯を溜め保温することのできる貯湯タンクを備え、給湯配管途中に設けられる即湯システムにおいて、外気温や貯湯タンク周囲の温度を検知し得る検知部を設け、該検知部で検知された検知温度に従い、前記貯湯タンクの保温温度を制御するように構成したことを特徴とする即湯システム。
【請求項２】
内部に湯を溜め保温することのできる貯湯タンクを備えた即湯システムにおいて、給湯配管または給水配管中の冷水温度を検知し得る検知部を設け、該検知部で検知された冷水温度に従い、前記貯湯タンクの保温温度を制御するように構成したことを特徴とする即湯システム。
【請求項３】
内部に湯を溜め保温することのできる貯湯タンクを備え、給湯器から水栓金具に至る給湯配管途中に設けられる即湯システムにおいて、外気温や給湯配管または給水配管中の冷水温度を検知し得る検知部を設け、該検知部で検知された検知温度に従い、前記給湯器から前記貯湯タンクへの流量と、給湯器から直接水栓金具へ流れる流量を自動で切り替えるように構成したことを特徴とする即湯システム。
【発明の詳細な説明】
【０００１】
【発明の属する技術分野】
この発明は、即湯システムに関するものである。
【０００２】
【従来の技術】
図５に示すように、冬場において給湯配管内の水温が５℃である場合に、浴室内等に設置された水栓金具を開けた時には、この５℃の配管内の水が先ず水栓金具から吐出されて、その後に、給湯器で沸かされた湯が徐々に給湯配管内を流れて水栓金具に到達し、やがて水栓金具から温かい湯が吐出されてくるが、水栓金具から温かい湯が吐出されるまでに時間がかかり、冬場等において水栓金具を開けた初期には冷水が吐出されていた。
しかし、即湯システムを給湯配管内に設けることにより、即湯システム内に湯が溜められて保温されているため、水栓金具を開けた時に、この即湯システム内の湯が水栓金具から吐出され、水栓金具を開けた初期段階から温かい湯を使うことができるものとなる。
【０００３】
従来、給湯器から水栓金具に至る給湯配管途中に即湯システムを設けて、水栓金具を開けた初期から温かい湯が吐出されるように構成したシステムが存在する（例えば、特許文献１参照。）。
なお、従来では、夏場は即湯システム内の湯を約７０℃に保温し、冬場では即湯システム内の湯を約８０℃に保温できるように、２種類の保温温度調節機能を装備しており、この保温温度は使用者が脱衣室等に設けられたスイッチで切り替えるように構成されている。
【０００４】
【特許文献１】
特開昭６１−１２８０３６号公報
【０００５】
【発明が解決しようとする課題】
従来のような構造では、使用者がスイッチを切り替えない限り、最適な出湯特性が得られないこととなり、夏場等に、冬場の設定で高い温度で保温することにより、ランニングコストが増大してしまうという問題点があった。
【０００６】
【課題を解決するための手段】
本発明は、上記従来の問題点に鑑み案出したものであって、外気温や給湯水温度に応じて、即湯システムの保温温度を自動で切り替えて、最適な出湯特性とランニングコスト削減を図ることのできる即湯システムを提供せんことを目的とし、その第１の要旨は、内部に湯を溜め保温することのできる貯湯タンクを備え、給湯配管途中に設けられる即湯システムにおいて、外気温や貯湯タンク周囲の温度を検知し得る検知部を設け、該検知部で検知された検知温度に従い、前記貯湯タンクの保温温度を制御するように構成したことである。
【０００７】
また、第２の要旨は、内部に湯を溜め保温することのできる貯湯タンクを備えた即湯システムにおいて、給湯配管または給水配管中の冷水温度を検知し得る検知部を設け、該検知部で検知された冷水温度に従い、前記貯湯タンクの保温温度を制御するように構成したことである。
【０００８】
また、第３の要旨は、内部に湯を溜め保温することのできる貯湯タンクを備え、給湯器から水栓金具に至る給湯配管途中に設けられる即湯システムにおいて、外気温や給湯配管または給水配管中の冷水温度を検知し得る検知部を設け、該検知部で検知された検知温度に従い、前記給湯器から前記貯湯タンクへの流量と、給湯器から直接水栓金具へ流れる流量を自動で切り替えるように構成したことである。
【０００９】
【発明の実施の形態】
以下、本発明の実施例を図面に基づいて説明する。
図１は、即湯システムの設置状態図であり、図２は、即湯システムの貯湯タンク周辺の断面拡大構成図である。
図において、即湯システム１は、湯を溜めて内部で保温することのできる貯湯タンク２と、その周囲に設けられた配管で構成されており、湯が流入する入管部３から、下方配管４と上方配管５に分岐されて、下方配管４を通って湯が貯湯タンク２内に流入されるように構成されており、また、上方配管５を通った湯は、出管部６から流出されるように構成されている。また、貯湯タンク２の上面には、出管部６に繋がる接続金具７が設けられている。
【００１０】
このような即湯システム１は、ユニットバスの浴槽８の裏側の防水パン９に、下方を挿入状に設置されており、防水パン９には、図示しない給湯器で沸かされた湯が供給される給湯配管１０と、水が供給される給水配管１１が設けられ、給湯配管１０には止水栓付ストレーナ１２が設けられて、このストレーナ１２から、フレキ管で構成された接続配管１３が前記給湯システム１の入管部３に接続されている。
【００１１】
また、給水配管１１にはフレキ管１５が接続されて、フレキ管１５の他端部は、ユニットバスの洗い場の水栓金具に接続されている給水配管１１ａに接続されている。また、洗い場の水栓金具に接続された給湯配管１０ａと、前記即湯システム１の出管部６間は、フレキ管１４で接続されている。
【００１２】
なお、図２に示すように、貯湯タンク２の外周に設けられた入管部３と下方配管４間には、水抜栓１７を設けた回動可能な回動管１６が設けられており、また、上方配管５には逃し弁１８が設けられている。
なお、図において１９は逃し弁であり、２０は貯湯タンク２内に設けられたヒーターである。また、２１は電源ケーブルであり、２２は貯湯タンク２の下部外周を保護する下カバーである。
【００１３】
このような構成では、洗い場の図示しない水栓金具が開かれた時に、貯湯タンク２内に保温されている湯が、出管部６からフレキ管１４を通り、給湯配管１０ａを通って水栓金具に供給され、水栓金具を開けた初期段階から温かい湯を使うことができ、その後に、図示しない給湯器で沸かされた湯が、給湯配管１０からフレキ管１３を通り、入管部３から下方配管４を通って貯湯タンク２内に流入されてくる。
【００１４】
図３は、電気配線図を示し、脱衣室に設けられた運転スイッチ３４は、即湯システム１を入り切りするためのものであり、「切」にされた場合はヒーター２０への通電が行われないものとなる。
この運転スイッチ３４に接続されて、並列状に配線２５，２６が設けられており、配線２５内には７０℃バイメタル２８が設けられ、一方の配線２６内には、８０℃バイメタル２９が設けられている。
【００１５】
この配線２６から、配線３３が引き出され、配線３３の先端には検出部３０が設けられている。この検出部３０は、本例では１５℃バイメタルで構成されている。
この検出部３０は図１に示すように、例えば下カバー２２の外周に取り付けておき、外気温や貯湯タンク２の周囲の温度を検知できるものとなっている。
なお、図３において、配線２５，２６が集合する配線２７内には、９０℃バイメタル３１と、１２９℃で切断される温度ヒューズ３２が設けられており、この９０℃バイメタル３１と温度ヒューズ３２は、過昇防止用に設けられたものである。この温度ヒューズ３２の下流側にヒーター２２が接続されている。
【００１６】
このような配線構造では、下カバー２２に設けられている検出部３０が外気温や貯湯タンク２の周囲の温度を検知し、冬場等では外気温等が１５℃以下となっているため、１５℃以下では、この検出部３０を構成する１５℃バイメタルがＯＮ状態となり、この状態では、配線２５及び配線２６に通電された状態となり、７０℃バイメタル２８は貯湯タンク２内の温度が７０℃となると、配線２５を遮断するが、８０℃バイメタル２９は貯湯タンク２内の湯温が８０℃となるまで、配線２６を通電させて、貯湯タンク２内が８０℃となるまでヒーター２２に通電させて、８０℃に貯湯タンク２内の湯を保温する。
一方、夏場等において、外気温等が１５℃以上となると、検出部３０を構成する１５℃バイメタルが配線２６を遮断することとなり、この状態では、７０℃バイメタル２８を有する配線２５側に通電されて、貯湯タンク２内の湯温は７０℃に保温されることなる。
【００１７】
このように、図３のような配線構造では、１５℃バイメタルで構成された検出部３０が外気温や貯湯タンク周囲の温度を検知して、冬場及び夏場の温度変化に対応して、自動的に貯湯タンク２内の保温温度を制御することができ、冬場及び夏場に対応した最適な出湯特性が得られるものとなり、夏場等においては低い温度に貯湯タンク２内を制御して、ランニングコストを削減できるものとなる。
【００１８】
次に、図４の配線図は別例を示すものであり、図４では、制御部３５を備え、この制御部３５にはＣＰＵと、ＣＰＵでＯＮ，ＯＦＦされるリレー３６が設けられており、即湯システム１の下カバー２２に検出部３０を取り付け、検出部３０からの配線３３を制御部３５に接続したものである。
この図４における検出部３０は、サーミスタで構成されており、サーミスタにより、外気温や貯湯タンク２の外周の温度を検知して、制御部３５に検知温度が入力されるように構成されており、制御部３５内では、検出部３０で検出された外気温等を認識して、夏場等の温度が高い状態では、リレー３６をＯＦＦ状態としてヒーター２０への通電時間を短くして、貯湯タンク２内の保温温度を低く制御するものであり、また冬場等において外気温が低い場合には、リレー３６をＯＮ状態として、ヒーター２０に通電する時間を長くして、貯湯タンク２内の保温温度を高く制御することができるものである。
【００１９】
なお、制御部３５には貯湯タンク２の温度を検出できるタンク温度検出部３７からの信号が入力されており、このタンク温度検出部３７から送られる貯湯タンク２の実際の温度と比較して、制御部３５は、外気温等に対応した制御を行うことができ、春や秋の中間の季節においても、最適な出湯特性が得られるように、自動的に貯湯タンク２内の保温温度を制御できるものとなる。
【００２０】
なお、図１に示すように、検出部３０を、給湯配管１０または給水配管１１に取り付けて、給湯配管１０または給水配管１１内の冷水の温度を検知できるように構成することもできる。
この場合、検知部３０はサーミスタで構成して、図４のような配線構造にしておけば、冬季等では、給湯配管１０または給水配管１１内は温度の低い冷水となっており、この冷水温度を検出部３０のサーミスタで検出して、制御部３５ではリレー３６をＯＮ状態として、ヒーター２０に長時間通電し、貯湯タンク２内の保温温度を高く制御することができるものであり、一方、夏場等では、給湯配管１０または給水配管１１内の水の温度は高くなっているため、この温度を検出してリレーをＯＦＦ状態とし、貯湯タンク２内の保温度を低く制御することができる。
特に、給水配管１１側に検出部３０を取り付けておけば、給水配管１１内の水の温度を検出して、良好に冬場，夏場等に対応して最適な温度に貯湯タンク２内を保温することができ、最適な出湯特性が得られ、しかもランニングコストも削減できるものとなる。
【００２１】
また、更には、下カバー２２の外周や、給湯配管１０または給水配管１１にサーミスタで構成された検出部３０を取り付けておき、図４のような制御部３５を備えた配線構造とし、しかも、この制御部３５からの信号で、モーター駆動により、切替弁４０または止水栓４１，４１を調節して、給湯器から貯湯タンク２内へ流れ込む流量と、給湯器から直接水栓金具へ流れ込む流量を切替制御して、最適な出湯特性を得ることができる。
【００２２】
即ち、図２に示すように、上方配管５と下方配管４との分岐点である入管部３に、モーター駆動により調整できる切替弁４０を設けておくと、この切替弁４０を下方配管４側へ流路を開く方向に駆動させることにより、給湯配管１０からの湯を下方配管４を通し貯湯タンク２内に大量に入れることができるものとなり、貯湯タンク２内で保温されていた湯が、接続金具７を通り出管部６から水栓金具側へ大量に流されて、冬季等において、水栓金具が開けられた初期の段階から貯湯タンク２内の温かい湯を大量に吐出させて使用できるものとなる。
【００２３】
一方、夏季等において、切替弁４０を上方配管５側へ湯が流れる方向に駆動させることにより、給湯配管１０内の水は、大部分が上方配管５側を流れて出管部６から水栓金具側へ流されることとなる。
このように、検出部３０で検知された検知温度に従い、制御部３５で切替弁４０を制御して、給湯器から貯湯タンク２内へ流れ込む流量と、給湯器から上方配管５を通って直接水栓金具側へ流れる流量を自動で切り替え、流量の切り替えにより、最適な水栓金具からの出湯特性が得られるものとなる。
【００２４】
また、切替弁４０に代えて、図２に示すように、モーター駆動により調整できる止水栓４１を上方配管５に設け、また、一方の下方配管４側にも止水栓４２を設けて構成することにより、上方配管５側の止水栓４１と下方配管４側の止水栓４２を、制御部３５からの駆動信号で開度を適宜調整して、給湯器から下方配管４側を流れて貯湯タンク２内へ流れ込む流量と、給湯器から上方配管５を経由して直接水栓金具へ流れ込む流量を、自動で切り替えることができるものとなり、外気温や、給湯配管１０または給水配管１１内の冷水温度に対応して、水栓金具から吐出される出湯温度を最適な温度に制御することができ、最適な出湯特性が得られるとともに、ランニングコストも削減できるものとなる。
【００２５】
【発明の効果】
本発明は、内部に湯を溜め保温することのできる貯湯タンクを備え、給湯配管途中に設けられる即湯システムにおいて、外気温や貯湯タンク周囲の温度を検知し得る検知部を設け、検知部で検知された検知温度に従い、貯湯タンクの保温温度を制御するように構成したことにより、外気温などに対応させて貯湯タンクの保温温度を適温に制御することができ、最適な出湯特性が得られ、ランニングコストも削減できるものとなる。
【００２６】
また、内部に湯を溜め保温することのできる貯湯タンクを備えた即湯システムにおいて、給湯配管または給水配管中の冷水温度を検知し得る検知部を設け、検知部で検知された冷水温度に従い、貯湯タンクの保温温度を制御するように構成したことにより、配管内の冷水温度に対応して貯湯タンクの保温温度を適温に制御することができ、最適な出湯特性が得られ、ランニングコストも削減できるものとなる。
【００２７】
また、内部に湯を溜め保温することのできる貯湯タンクを備え、給湯器から水栓金具に至る給湯配管途中に設けられる即湯システムにおいて、外気温や、給湯配管または給水配管中の冷水温度を検知し得る検知部を設け、検知部で検知された検知温度に従い、給湯器から貯湯タンクへの流量と、給湯器から直接水栓金具へ流れる流量を自動で切り替えるように構成したことにより、外気温などに対応して、給湯器から貯湯タンクへの流量と、給湯器から直接水栓金具へ流れる流量を切り替えて、流量調整により最適な出湯特性を得ることができるものとなる。
【図面の簡単な説明】
【図１】即湯システムの設置状態図である。
【図２】即湯システムの貯湯タンク周辺の断面拡大構成図である。
【図３】制御回路の一例を示す配線図である。
【図４】制御回路の別例を示す配線図である。
【図５】給湯器で沸かされた湯が水栓金具に達するまでの時間と水温の関係図である。
【符号の説明】
１  即湯システム
２  貯湯タンク
３  入管部
４  下方配管
５  上方配管
６  出管部
７  接続金具
９  防水パン
１０，１０ａ  給湯配管
１１，１１ａ  給水配管
２０  ヒーター
２２  下カバー
３０  検出部
３４  運転スイッチ
３５  制御部
３６  リレー
【図１】
2004332985.tif 000003
【図２】
2004332985.tif 000004
【図３】
2004332985.tif 000005
【図４】
2004332985.tif 000006
【図５】
2004332985.tif 000007